(57)【要約】【課題】    新建築物の基礎施工時において、施工が容易で、かつ長期間に亙って白蟻による被害を予防し得る方法を提供する。【解決手段】周囲を布基礎にて囲まれる地面上に、両面又は地面と接する下面側のみをビニールシートで被覆してなる薄鋼板を隙間なく敷設し、その上に鉄筋を配置し又は鉄筋を配置することなくコンクリートを打設して、基礎コンクリート間を形成する。【選択図】  図２
2007255177.tif 000002
【特許請求の範囲】
【請求項１】
新建築物の基礎施工時において、周囲を布基礎にて囲まれる地面上に、両面又は地面と接する下面側のみをビニールシートで被覆してなる薄鋼板を隙間なく敷設し、その上に、鉄筋を配置し又は鉄筋を配置することなくコンクリートを打設して、基礎コンクリート間を形成することを特徴とする新建築物の白蟻防除方法。
【請求項２】
形成された基礎コンクリート間には、白蟻侵入用のスリットを備える容器内に、白蟻誘引剤と、白蟻の餌となる白蟻殺虫薬を含浸させたセルローズ系ロール紙とを収容してなる白蟻防除装置を所要数設置する請求項１に記載の新建築物の白蟻防除方法。
【請求項３】
薄鋼板は、厚さ０．０２ｍｍ〜２．００ｍｍの表面処理鋼板又は冷延鋼板である請求項１又は２に記載の新建築物の白蟻防除装置。
【発明の詳細な説明】
【技術分野】
【０００１】
本発明は、新建築物の基礎施工時において、地中に潜む白蟻が、布基礎にて囲まれた地面上に形成される基礎コンクリート間を貫通して建物内に侵入するのを防除する方法に関する。
【背景技術】
【０００２】
家屋等の建築物を新築する場合には、その基礎施工時において、建物が地面と接するところにコンクリート造の布基礎を設ける。そして、この布基礎で囲まれた地面（土間）上に鉄筋を配置し、コンクリートを打設して基礎コンクリート間を形成するのであるが、その際、地中に潜む白蟻が、基礎コンクリート間を貫通して建物内に侵入するのを防止しておく必要がある。
【０００３】
その対策として、従来は、（１）布基礎にて囲まれた地面上に、白蟻の貫通を防止するためのビニールシートを敷き、その上に基礎コンクリート間を形成するか、あるいは（２）布基礎にて囲まれた地面上に、白蟻の貫通を防止するためのアルミ箔を敷き、その上に基礎コンクリート間を形成することが行なわれていた。
【発明の開示】
【発明が解決しようとする課題】
【０００４】
しかしながら、上記（１）の方法では、ビニールシート自体が白蟻に喰われたり、また比較的早期に劣化して、所定の耐用年数を待たずに基礎コンクリート間に白蟻が侵入し、建物に被害を及ぼす場合が多々あった。また（２）の方法では、地面に敷設したアルミ箔が比較的長期間に亙って白蟻の侵入を防止するものの、破損し易く、施工時等において敷設されたアルミ箔上を作業員が歩いたり、配筋用の鉄筋等が触れるだけで簡単に破れてしまい、このような破損ヶ所から白蟻が基礎コンクリート間上に侵入する場合が多々あった。
【０００５】
本発明は、従来のこのような問題を解決するためになされたものであり、新建築物の基礎施工時において、布基礎にて囲まれた地面上に形成される基礎コンクリート間への白蟻の侵入を長期間防止するとともに、上記の如く形成された基礎コンクリート間に、万が一白蟻が侵入した場合には、侵入した白蟻を確実に捕獲して殺虫する方法を併せて提供することを目的とする。
【課題を解決するための手段】
【０００６】
上記目的を達成する本発明の方法は、新建築物の基礎施工時において、周囲を布基礎にて囲まれる地面上に、両面又は地面と接する下面側のみをビニールシートで被覆してなる薄鋼板を隙間なく敷設し、その上に、鉄筋を配置し又は鉄筋を配置することなく、コンクリートを打設して、基礎コンクリート間を形成することを特徴とする。
【０００７】
この場合、形成された基礎コンクリート間には、白蟻が万が一侵入した場合に備えて、
白蟻侵入用のスリットを備える容器内に、白蟻誘引剤と、白蟻の餌となる殺虫薬を含浸させたセルローズ系ロール紙とを収容してなる白蟻防除装置を、所要数設置しておくのが良い。
【０００８】
また、本発明法で使用する薄鋼板としては、厚さ０．０２ｍｍ〜２．００ｍｍ程度の表面処理鋼板又は冷延鋼板が望ましい。厚さ０．０２ｍｍ以下では、長期（３年以上）の耐腐蝕性が得られず、２．００ｍｍ以上では、施工時における加工性、ハンドリング性等が悪化し、施工作業が困難となるからである。とりわけ、厚さ０．０６ｍｍ程度の「アルジンク」と称する表面処理鋼板や冷延鋼板（冷延ＦＨ鋼板、冷延焼鈍鋼板等）は、施工時における折り曲げや鉄挟みによる裁断等の加工性に優れ、しかも作業員が上を歩いてもアルミ箔のように容易に破損しない強度を備えているので、最も使い易く、推奨される。
【発明の効果】
【０００９】
上記構成よりなる本発明の方法によれば、周囲を布基礎に囲まれた地中に潜む白蟻は、その地面上に敷設された薄鋼板を食い切って貫通することができず、また、これらの薄鋼板自体が折り曲げ可能な可撓性を有し容易に破損を生じることも無いので、さらにその上に形成される基礎コンクリート間にほとんど侵入することができない。また、これらの薄鋼板は、水分を含む地面やコンクリートと直接触れないように、その両面又は下面側のみがビニールシートで被覆してあるから耐腐蝕性に優れ、かつ、床下土壌からの湿気を防ぎ床下空間を乾燥した状態に保持する効果を有する。したがって、新築建物を長期間に亙って白蟻の被害から防御することができる。
【００１０】
さらに、上記本発明法により形成される基礎コンクリート間に、白蟻防除装置を設置した場合には、当該基礎コンクリート間に侵入した白蟻が、誘引剤に引き寄せられて白蟻防除装置内に捕獲され、かつ、捕獲された白蟻が餌であるロール紙を食べることにより殺虫される。したがって、万が一、基礎コンクリート間に白蟻が侵入した場合でも、侵入した白蟻はほぼ確実に捕獲され、殺虫されるから、一層確実に、新築建物を長期間に亙って白蟻の被害から防御することができる。
【発明を実施するための最良の形態】
【００１１】
以下、本発明の実施形態を図面に基づいて説明する。
【実施例１】
【００１２】
図１、図２は、本発明の方法を、新築建物の基礎施工に実施した一例であり、１はコンクリート造の布基礎、４は薄鋼板、６は基礎コンクリート間を示している。
【００１３】
すなわち、布基礎１は、建物の外周壁や主要な間仕切り壁等の地面２と接するところに構築されるコンクリート造の台であり、この上に木造の土台３が築かれる。
【００１４】
薄鋼板４は、周囲を上記布基礎１にて囲まれる地面２上に、その両面をビニールシート５ａ，５ｂで被覆した状態で隙間なく敷設してある。すなわち、図示例では、布基礎１で囲まれる地面２上に、まずビニールシート５ａを敷き、その上に薄鋼板４を敷く。このとき、薄鋼板４は、図３に示すように、上記地面２の広さや形状に応じて複数枚を組み合わせたり、また所要の形状に鉄挟みで裁断したものを使用して、ビニールシート５ａ上に隙間なく敷き詰められる。次いで、上記の如く敷き詰めた薄鋼板４上に、別のビニールシート５ｂを敷く。このようにして、両面がビニールシート５ａ，５ｂで被覆された状態の薄鋼板４が、周囲を布基礎１にて囲まれる地面２上に隙間なく敷設されている。
【００１５】
この図示例では、薄鋼板４として、表面に５５％アルミニウム−亜鉛合金めっきを施した厚さ０．０６ｍｍの表面処理鋼板（商品名「アルジンク」）を使用しているが、これに限るものではなく、厚さ０．０２ｍｍ〜２．００ｍｍ程度の薄鋼板であれば、他の表面処理鋼板や各種冷延鋼板（冷延ＦＨ鋼板、冷延焼鈍鋼板など）を使用することが可能である。また、この図示例では、薄鋼板４は、その両面をビニールシート５ａ，５ｂで被覆しているが、これに限らず、地面と接する下面側のみをビニールシート５ａで被覆するようにしても良い。なお、これらの被覆用ビニールシート５ａ，５ｂは、いずれも厚さ０．０４ｍｍ程度の通常のビニールシートである。
【００１６】
基礎コンクリート間６は、上記の如く周囲を布基礎１にて囲まれた地面２上に、両面または地面と接する下面側のみをビニールシート５ａ，５ｂで被覆した状態の薄鋼板４を隙間なく敷設し、さらにその上に、所要数の鉄筋材７を配置するか、または鉄筋材７を全く配置することなくコンクリートを所要厚さに打設することにより形成されたコンクリート造の土間である。
【実施例２】
【００１７】
図４は、本発明の他の実施例であり、前記実施例１により形成された基礎コンクリート間６に、白蟻防除装置８を所要数配置した例である。
【００１８】
すなわち、白蟻防除装置８は、図５に示すように、白蟻侵入用のスリット９を備える円筒状容器１０内に、白蟻が分泌するフェロモンを主成分とする白蟻誘引剤１１と、白蟻殺虫薬（例えばアジェンダＳＣ）を含浸させたセルローズ系ロール紙１２とを収容してなり、白蟻誘引剤１１により誘引されて、スリット９より容器１０内に侵入した白蟻が、好物であるセルローズ系ロール紙１２を食べると殺虫されるようにしたものである。
【００１９】
したがって、この実施例では、実施例１の方法により白蟻の侵入がきわめて困難となった新建築物のコンクリート間６に、万が一、白蟻が侵入した場合でも、これを白蟻防除装置８が確実に捕獲して殺虫するから、新建築物をさらに長期間に亙って白蟻の被害から防御することができる。
【００２０】
表１は、本発明法の実施により形成された基礎コンクリート間上への白蟻の侵入数を、５年間に亙って調査し、その結果を比較例とともに示したものである。 すなわち、Ａは、周囲を布基礎で囲んだ３ｍ2の供試地面に、本発明法にしたがって両面をビニールシートで被覆した薄鋼板（厚さ０．０６ｍｍのアルジンク表面処理鋼板）を敷き、その上に基礎コンクリート間を形成した本発明例。Ｂは、上記同様の供試地面に、アルミ箔（厚さ０．０６ｍｍ）を敷き、その上に基礎コンクリート間を形成した比較例。同じくＣは、上記同様の供試地面に、ビニールシート（厚さ０．０４ｍｍ）を敷き、その上に基礎コンクリート間を形成した比較例である。なお、白蟻の侵入数は、各例ともに、供試地面上に形成された基礎コンクリート間の中央部に、白蟻誘引剤と白蟻殺虫薬を含浸したセルローズ系ロール紙を収容してなる白蟻防除装置を設置し、この白蟻防除装置に捕獲され、殺虫された白蟻数を示している。
【００２１】
【表１】
2007255177.tif 000003
【００２２】
表１に明らかなとおり、本発明例Ａは、基礎コンクリート間を形成後、５年を経過してもなを、基礎コンクリート上への白蟻の侵入数は０であるのに対して、比較例Ｂは、６カ月後に侵入数５３、１年後には４５５となり、短期間で著しく増加していた。また、比較例Ｃは、１年後に侵入数が７１となり、以後、２年目で３７７、３年目で５１３と、年々増加していた。これにより、本発明法が、従来法に比べて、はるかに長期間の基礎コンクリート間上への白蟻の侵入防止効果に優れていることが判明した。
【図面の簡単な説明】
【００２３】
【図１】本発明法の実施例を説明する新建築物基礎の斜視図である。
【図２】図１のＡ−Ａ線拡大断面図である。
【図３】薄鋼板の敷設例を説明する平面図である。
【図４】本発明法の他の実施例を説明する新建築物基礎の要部斜視図である。
【図５】本発明法に係る白蟻防除装置を説明する縦断側面図である。
【符号の説明】
【００２４】
１  布基礎
２  地面
４  薄鋼板
５ａ，５ｂ  ビニールシート
６  基礎コンクリート間
７  鉄筋材
８  白蟻防除装置
９  スリット
１１  白蟻誘引剤
１２  ロール紙
【図３】
2007255177.tif 000004
【図５】
2007255177.tif 000005
【図１】
2007255177.tif 000006
【図２】
2007255177.tif 000007
【図４】
2007255177.tif 000008